(57)【要約】      （修正有）【課題】コンパクトで高い浄化能力を有する水浄化装置を提供する。【解決手段】水浄化装置は、浄化槽１と、前記浄化槽１内に設けられかつ受光可能に設けられた光触媒部３と、前記浄化槽１内に設けられた電解用陽極６および電解用陰極７とを備えることを特徴とする。【選択図】図１
2012228659.tif 000002
【特許請求の範囲】
【請求項１】
浄化槽と、前記浄化槽内に設けられかつ受光可能に設けられた光触媒部と、前記浄化槽内に設けられた電解用陽極および電解用陰極とを備えることを特徴とする水浄化装置。
【請求項２】
前記電解用陽極および前記電解用陰極は、前記浄化槽で浄化する処理水を電気分解し、前記処理水の溶存酸素量を多くすることができるように設けられた請求項１に記載の装置。
【請求項３】
前記電解用陽極および前記電解用陰極は、前記浄化槽で浄化する処理水に含まれる物質を電気化学的に酸化分解できるように設けられた請求項１または２に記載の装置。
【請求項４】
前記電解用陽極および前記電解用陰極は、前記浄化槽で浄化する処理水を挟むように対向して設けられた請求項１〜３のいずれか１つに記載の装置。
【請求項５】
前記電解用陽極と前記電解用陰極との間に印加する電圧を発生させる電圧発生装置と、前記電解用陽極と前記電解用陰極との間に流れた電流を検出する電流値検出装置とをさらに備える請求項１〜４のいずれか１つに記載の装置。
【請求項６】
前記浄化槽内に設けられた溶存酸素計と、前記溶存酸素計の電流値を読み取り前記電解用陽極と前記電解用陰極との間に印加する電圧を制御する制御装置とをさらに備える請求項１〜５のいずれか１つに記載の装置。
【請求項７】
前記電解用陽極および前記電解用陰極は、１０ｍｍ以下の間隔で設けられた請求項１〜６のいずれか１つに記載の装置。
【請求項８】
前記光触媒部に光を照射できるように設けられた光源部をさらに備える請求項１〜７のいずれか１つに記載の装置。
【請求項９】
前記光触媒部は、前記浄化槽で浄化する処理水を挟むように対向して設けられた請求項１〜８のいずれか１つに記載の装置。
【請求項１０】
前記光触媒部は、前記電解用陽極と前記電解用陰極との間に設けられた請求項１〜９のいずれか１つに記載の装置。
【請求項１１】
前記浄化槽は、前記浄化槽で浄化する処理水が流れる流路を備え、
前記光触媒部は、前記流路の内壁を構成する請求項１〜１０のいずれか１つに記載の装置。
【請求項１２】
前記流路は、蛇行流路である請求項１１に記載の装置。
【請求項１３】
前記浄化槽は、前記浄化槽で浄化する処理水の流入口および排水口を有する請求項１〜１２のいずれか１つに記載の装置。
【請求項１４】
前記排水口から排出した処理水を前記浄化槽に帰還させる帰還水路をさらに備える請求項１３に記載の装置。
【請求項１５】
前記光触媒部は、ＴｉＯ2、ＳｎＯ2、ＷＯ3、Ｆｅ2Ｏ3、ＺｎＯ、Ｎｂ2Ｏ5、ＳｒＴｉＯ3、ＫＴａＯ3、ＺｒＯ2、ＧａＰ、ＢｉＶＯ4、Ｂｉ2ＭｏＯ6、Ａｇ3ＰＯ4のうち少なくとも１つを含む請求項１〜１４のいずれか１つに記載の装置。
【請求項１６】
前記光触媒部は、Ｐｔ、Ｐｄ、Ｒｕ、Ｒｈ、Ａｕ、Ａｇ、Ｃｕ、Ｆｅ、Ｎｉ、Ｚｎ、Ｇａ、Ｇｅ、ＩｎおよびＳｎのうち少なくとも１つの金属が担持された酸化チタンを含む請求項１〜１５のいずれか１つに記載の装置。
【請求項１７】
前記電解用陽極または前記電解用陰極は、白金、金、ステンレス、チタン、銅、炭素、導電性ダイヤモンド、ニッケル、コバルトのうちいずれか１つを含む請求項１〜１６のいずれか１つに記載の装置。
【発明の詳細な説明】
【技術分野】
【０００１】
本発明は、水浄化装置に関する。
【背景技術】
【０００２】
従来、酸化チタンなどの光触媒に紫外線光源（ブラックライト、水銀灯など）を照射することにより、光触媒の表面に接触する有機物をＣＯ2などに酸化する浄化装置が知られている。これらの浄化装置により、例えば、光触媒の表面に水などを接触させると、水中の汚染物質の分解や殺菌を行うことができる。また、例えば、光触媒の表面に空気を接触させると、空気中の有機物質などを酸化することができる。
【０００３】
光触媒による有機物の酸化分解機構は、次のように説明される。半導体である光触媒が受光することにより、光触媒の価電子帯の電子が励起され、伝導帯に電子が、価電子帯に正孔が形成される。この光励起により形成された伝導帯の電子は、水中あるいは光触媒の表面に吸着するＯ2 と反応して、Ｏ2-・（スーパーオキサイドアニオンラジカル）が生成する（式１）。また、光励起により形成された価電子帯の正孔は、光触媒の表面に吸着するＯＨ-と反応して、ＯＨラジカルが生成する（式２）。
（式１） Ｏ2  + ｅ- → Ｏ2-・
（式２） ＯＨ- +  ｈ+ → ＯＨ・
【０００４】
光触媒の表面に生成されるＯＨラジカルは活性種の中でも強い酸化力を有するため（ＯＨラジカルの酸化電位：約3.0eV、塩素の酸化電位：1.36eV、オゾンの酸化電位：2.07eV）、水中や空気中の有機物や細菌、真菌、ウイルスなどの有機性不純物を酸化分解することができる。また、光触媒が受光することにより発生するＯＨラジカルは、従来殺菌のために使われてきたオゾン、塩素などと違い残留性がないという利点も有している。
【０００５】
光触媒としては、酸化チタン（ＴｉＯ2）が一般的に使われている。酸化チタンは、一般に入手容易であるとともに、約388nm以下の波長の光を受光することにより光触媒活性を有する。また、酸化チタンは、バンドギャップが3.2eV であり、電子と正孔の再結合が起こりにくく、再結合による失活率が小さいという利点も有する。
【０００６】
光励起によって生成される電子と正孔の数は同数である。水中では、価電子帯に生成した正孔は速やかに、ＯＨ-と反応してＯＨラジカルを生成することができる。一方、伝導帯に生成した電子は、主に水中に溶けたＯ2と反応するために、溶存酸素量が低下すると、（式１）の反応が進行しにくくなる。そうなると、光触媒の伝導帯に電子が過剰となるため、光励起により価電子帯に生成した正孔は、伝導帯の電子と再結合しやすくなり、強い酸化力を有するＯＨラジカルの生成量が減少することが考えられる。
【０００７】
このようなＯＨラジカルの生成量の減少を防止するために、光触媒で浄化する処理水に空気中の酸素を導入する水浄化装置が開示されている（例えば、特許文献１）。特許文献１では、導入口から導入された原水を滞留して導出口から導出する水処理槽と、水処理槽内に配置される紫外線ランプと、円柱状をなして中央部に紫外線ランプを挿通するフィルタとを備えた水浄化装置が開示されている。この水浄化装置においては、水処理槽の下部に、曝気部が設けてあり、曝気部に空気を通気して、水処理槽内を曝気している。このように空気中の酸素を導入することによって、汚濁物質の酸化分解を促進して、処理水の浄化促進を図ることができる。
【０００８】
一方、電気分解処理により水を浄化する方法が知られている（例えば、特許文献２、３）。この電気化学的水処理方法では、導電性ダイヤモンドからなる陽極および陰極に電圧を印加することにより、水中にヒドロキシラジカルなどの活性酸素種を発生させることができ、処理水を浄化することができる。
【先行技術文献】
【特許文献】
【０００９】
【特許文献１】特開２００８−９３５４９号公報
【特許文献２】特開２００４−１９５３４６号公報
【特許文献３】特開２００６−６８６１７号公報
【発明の概要】
【発明が解決しようとする課題】
【００１０】
しかし、従来の水浄化装置では、高い浄化能力を確保するために装置を大型化する必要がある。
本発明は、このような事情に鑑みてなされたものであり、コンパクトで高い浄化能力を有する水浄化装置を提供する。
【課題を解決するための手段】
【００１１】
本発明は、浄化槽と、前記浄化槽内に設けられかつ受光可能に設けられた光触媒部と、前記浄化槽内に設けられた電解用陽極および電解用陰極とを備えることを特徴とする水浄化装置を提供する。
【発明の効果】
【００１２】
本発明によれば、浄化槽内に受光可能に設けられた光触媒部を備えるため、光触媒部が受光することにより活性種を発生させることができ、浄化槽内の処理水を浄化することができる。
本発明によれば、浄化槽内に電解用陽極および電解用陰極とを備えるため、電解用陽極と電解用陰極との間に電圧を印加することにより、浄化槽内の処理水を電気化学的に浄化することができる。また、電解用陽極と電解用陰極との間に電圧を印加することにより、浄化槽内の処理水を電気分解し酸素を発生させることができ、処理水中の溶存酸素量を多くすることができる。また、光触媒部と電解用陽極および電解用陰極とは同じ浄化槽内に設けられるため、溶存酸素量の減少による光触媒部の酸化活性の低下を防止することができる。このことにより、浄化槽内の処理水の溶存酸素量を多くするための曝気部などを省略することが可能となり、水浄化装置をコンパクト化することができる。
本発明によれば、浄化槽内に光触媒部と電解用陽極および電解用陰極との両方を備えるため、コンパクトで高い浄化能力を有することができる。また、浄化する処理水量を多くすることもできる。また、浄化槽で浄化する処理水の有機不純物濃度や光触媒部の受光量などに応じて、光触媒部による浄化と電解用陽極および電解用陰極による浄化とを切り換える、または両方による浄化を行うことができるため、状況に合わせて処理水を浄化することができ、消費電力を抑えて効率的に処理水を浄化することができる。
【図面の簡単な説明】
【００１３】
【図１】本発明の一実施形態の水浄化装置の構成を示す概略断面図である。
【図２】本発明の一実施形態の水浄化装置に含まれる電解用電極の構成を示す概略上面図である。
【図３】本発明の一実施形態の水浄化装置の構成を示す概略断面図である。
【図４】本発明の一実施形態の水浄化装置の構成を示す概略断面図である。
【図５】本発明の一実施形態の水浄化装置の構成を示す概略断面図である。
【図６】本発明の一実施形態の水浄化装置に含まれる電解用電極および光触媒部の構成を示す概略上面図である。
【発明を実施するための形態】
【００１４】
本発明の水浄化装置は、浄化槽と、前記浄化槽内に設けられかつ受光可能に設けられた光触媒部と、前記浄化槽内に設けられた電解用陽極および電解用陰極とを備えることを特徴とする。
本発明において、光触媒部とは、半導体からなる光触媒を含む部分である。
本発明において、電解用陽極および電解用陰極とは、浄化槽中の処理水を電解できるように設けられた電極対であり、電解用電極ともいう。なお、ここで電解とは、処理水を電気分解し水素や酸素などを発生させるものに限定されず、処理水中の物質との電荷のやりとりによりイオンやラジカルを発生させるものも含む。
【００１５】
本発明の水浄化装置において、前記電解用陽極および前記電解用陰極は、前記浄化槽で浄化する処理水を電気分解し、前記処理水の溶存酸素量を多くすることができるように設けられたことが好ましい。
このような構成によれば、処理水中の溶存酸素量を多くすることができ、溶存酸素量の低下による光触媒部の酸化活性の低下を防止することができる。
本発明の水浄化装置において、前記電解用陽極および前記電解用陰極は、前記浄化槽で浄化する処理水に含まれる物質を電気化学的に酸化分解できるように設けられたことが好ましい。
このような構成によれば、電解用陽極の表面で活性種を発生させることができ、この活性種により処理水中の有機不純物を酸化分解することができる。
【００１６】
本発明の水浄化装置において、前記電解用陽極および前記電解用陰極は、前記浄化槽で浄化する処理水を挟むように対向して設けられたことが好ましい。
このような構成によれば、電解用陽極と電解用陰極との間の処理水中をイオンが容易に移動することができ、電解用電極の表面における酸化還元反応の反応速度を速くすることができる。
本発明の水浄化装置において、前記電解用陽極と前記電解用陰極との間に印加する電圧を発生させる電圧発生装置と、前記電解用陽極と前記電解用陰極との間に流れた電流を検出する電流値検出装置とをさらに備えることが好ましい。
このような構成によれば、電解用陽極と電解用陰極との間に流れる電流に応じて電解用陽極と電解用陰極との間に電圧を印加することができる。
【００１７】
本発明の水浄化装置において、前記浄化槽内に設けられた溶存酸素計と、前記溶存酸素計の電流値を読み取り前記電解用陽極と前記電解用陰極との間に印加する電圧を制御する制御装置とをさらに備えることが好ましい。
このような構成によれば、浄化槽で浄化する処理水の溶存酸素量に応じて電解用陽極と電解用陰極との間に電圧を印加することができるため、電力消費量を必要最小限にすることができる。
本発明の水浄化装置において、前記電解用陽極および前記電解用陰極は、１０ｍｍ以下の間隔で設けられたことが好ましい。
このような構成によれば、水道水、河川上流の水、河川下流の水を電気分解し、電解用陽極の表面において、酸素または活性種を発生させることができる。
【００１８】
本発明の水浄化装置において、前記光触媒部に光を照射できるように設けられた光源部をさらに備えることが好ましい。
このような構成によれば、光源部を発光させることにより、光触媒部が受光し活性種を発生させることができ、処理水を光触媒部により浄化することができる。
本発明の水浄化装置において、前記光触媒部は、前記浄化槽で浄化する処理水を挟むように対向して設けられたことが好ましい。
このような構成によれば、処理水が光触媒部に接触または近接しやすくなり、処理水を効率的に浄化することができる。
【００１９】
本発明の水浄化装置において、前記光触媒部は、前記電解用陽極と前記電解用陰極との間に設けられたことが好ましい。
このような構成によれば、光触媒部と電解用電極とを同じ場所に設けることができるため、水浄化装置を小型化することができる。また、電解用陽極の表面で酸素を発生させることにより、光触媒部近傍の処理水の溶存酸素量をすぐに多くすることができる。
本発明の水浄化装置において、前記浄化槽は、前記浄化槽で浄化する処理水が流れる流路を備え、前記光触媒部は、前記流路の内壁を構成することが好ましい。
このような構成によれば、処理水が光触媒部に接触または近接しやすくなり、処理水を効率的に浄化することができる。
【００２０】
本発明の水浄化装置において、前記流路は、蛇行流路であることが好ましい。
このような構成によれば、処理水が流れる流路をより長くすることができ、処理水が光触媒部に接触または近接しやすくなり、処理水を効率的に浄化することができる。
本発明の水浄化装置において、前記浄化槽は、前記浄化槽で浄化する処理水の流入口および排水口を有することが好ましい。
このような構成によれば、浄化前の処理水を流入口から浄化槽に流入させることができ、浄化槽で浄化された処理水を排出口から排出することができる。
【００２１】
本発明の水浄化装置において、前記排水口から排出した処理水を前記浄化槽に帰還させる帰還水路をさらに備えることが好ましい。
このような構成によれば、排水口から排出した処理水が十分に浄化されていない場合、処理水を浄化槽に帰還させることができ、十分に浄化することができる。
本発明の水浄化装置において、前記光触媒部は、ＴｉＯ2、ＳｎＯ2、ＷＯ3、Ｆｅ2Ｏ3、ＺｎＯ、Ｎｂ2Ｏ5、ＳｒＴｉＯ3、ＫＴａＯ3、ＺｒＯ2、ＧａＰ、ＢｉＶＯ4、Ｂｉ2ＭｏＯ6、Ａｇ3ＰＯ4のうち少なくとも１つを含むことが好ましい。
このような構成によれば、光触媒部は受光することにより光触媒活性を有することができる。
【００２２】
本発明の水浄化装置において、前記光触媒部は、Ｐｔ、Ｐｄ、Ｒｕ、Ｒｈ、Ａｕ、Ａｇ、Ｃｕ、Ｆｅ、Ｎｉ、Ｚｎ、Ｇａ、Ｇｅ、ＩｎおよびＳｎのうち少なくとも１つの金属が担持された酸化チタンを含むことが好ましい。
このような構成によれば、光触媒部に含まれる光触媒がより高い光触媒活性を有することができる。
本発明の水浄化装置において、前記電解用陽極または前記電解用陰極は、白金、金、ステンレス、チタン、銅、炭素、導電性ダイヤモンド、ニッケル、コバルトのうちいずれか１つを含むことが好ましい。
このような構成によれば、電解用陽極と電解用陰極との間に電圧を印加することにより、電解用陽極の表面で酸素または活性種を発生させることができ、電解用陰極の表面で水素を発生させることができる。
【００２３】
以下、本発明の実施形態を図面を用いて説明する。図面や以下の記述中で示す構成は、例示であって、本発明の範囲は、図面や以下の記述中で示すものに限定されない。
【００２４】
水浄化装置の構成
図１、３〜５は本発明の一実施形態の水浄化装置の構成を示す概略断面図であり、図２は、本発明の一実施形態の水浄化装置に含まれる電解用電極の概略上面図であり、図６は、本発明の一実施形態の水浄化装置に含まれる電解用電極および光触媒部の概略上面図である。
【００２５】
本実施形態の水浄化装置２５は、浄化槽１と、浄化槽１内に設けられかつ受光可能に設けられた光触媒部３と、浄化槽１内に設けられた電解用陽極６および電解用陰極７とを備えることを特徴とする。
また、本実施形態の水浄化装置２５は、光源部９、電圧発生装置１９、電流検出装置２０、溶存酸素計１２、制御装置２１、帰還水路１８をさらに有してもよい。
以下、本実施形態の水浄化装置について説明する。
【００２６】
１．浄化槽
浄化槽１は、処理水を浄化するための水槽である。浄化槽１は、処理水を溜めるまたは流すことができれば特に限定されない。浄化槽１は、例えば、金属製、樹脂製、強化プラスチック製、ガラス製、陶器製である。また、浄化槽１は、その内部に光触媒部３、電解用陽極６、電解用陰極７を備える。このことにより処理水を光触媒部３または電解用電極５（電解用陽極６、電解用陰極７）で発生させた活性種により浄化することができる。
また、浄化槽１は、その内部に処理水を流れる流路２３を備えることができる。このことにより、光触媒部３または電解用電極５で発生させた活性種により処理水を効率的に浄化することができる。例えば、図４、５のように光触媒部３により隔壁を形成し流路を形成することができる。
また、浄化槽１は、採光窓を有することができる。このことにより光触媒部３を受光可能に設けることができる。また、採光窓は、太陽光などの外部の光を採光するものであってもよく、光源部９の光を採光するものであってもよい。採光窓は、浄化槽１が有する開口であってもよく、また、浄化槽１に接続した透光性部材であってもよい。例えば、図１、４、５のように光源部９と浄化槽１の内部とを仕切る透光性部材１０であってもよく、図３のように太陽光を採光するために設けられた透光性部材１０であってもよい。
【００２７】
浄化槽１は、浄化槽１で浄化する処理水の流入口１４および排水口１５を備えることができる。このことにより、浄化前の処理水を流入口１４から浄化槽１内に流入させることができ、浄化槽１で浄化された処理水を排水口１５から排出することができる。
また、図１のように流入口１４から浄化槽１内に処理水を流入させる前に不純物を取り除けるように、フィルター２２を設けてもよい。フィルター２２は孔径の異なる複数の種類のフィルターを配置したものから成っていてもよい。例えば、ＭＦ膜やＵＦ膜、ＲＯ膜等を使用することができる。このことにより、水浄化装置２５の浄化能を向上させることができる。
【００２８】
また、浄化槽１は、処理水が自然対流により対流するように設けられてもよく、処理水の温度分布を形成することにより対流するように設けられてもよく、処理水を対流させるためのファンやポンプを備えてもよい。このことにより、処理水を、より効率的に光触媒部３または電解用電極５で発生させた活性種により浄化することができる。
【００２９】
水浄化装置２５は、排水口１５から排出した処理水を浄化槽１に帰還させる帰還水路１８を備えてもよい。水浄化装置２５は、帰還水路１８を１つ備えてもよく、複数備えてもよい。このことにより、処理水を繰り返し浄化槽１により浄化することができ、処理水をより十分に浄化することができる。また、水浄化装置２５は、排水口１５から排出した処理水を導水管１６から排出する流路と帰還水路１８とを切り換える切り替え弁を有することができる。このことにより、処理水の有機不純物濃度に応じて、処理水を排出するか、もう一度浄化槽１で浄化するかを選択することができる。
【００３０】
２．光触媒部、光源部
光触媒部３は、浄化槽１内に設けられかつ受光可能に設けられる。光触媒部３とは、半導体からなる光触媒を含む部分である。光触媒部３が浄化槽１内に設けられることにより、光触媒部３に含まれる光触媒が浄化槽１で浄化する処理水と接触することができる。また、光触媒部３が受光可能に設けられることにより、光触媒部３に含まれる光触媒が受光することができ、光触媒である半導体の価電子帯の電子を伝導帯に光励起することができる。この光励起により発生した価電子帯のホールと、伝導帯の電子とが光触媒表面の処理水と反応しヒドロキシラジカルなどの活性種を発生させることができる。この活性種が処理水中の有機不純物を酸化分解することにより、処理水を浄化することができる。
【００３１】
光触媒部３は、光触媒を含めば特に限定されず、例えば、基体上に形成された薄膜であってもよく、厚膜であってもよい。また、光触媒部３は、光触媒が担持された多孔質体、例えば、光触媒が担持された多孔質セラミックス、光触媒が担持された多孔質ガラスなどであってもよく、光触媒が担持された繊維材料、例えば、光触媒が担持されたガラスウールなどであってもよい。このことにより、光触媒表面で発生させた活性種により処理水中の有機不純物を効率的に酸化分解することができる。
【００３２】
光触媒部３が薄膜の場合、例えば、ＣＶＤ法やスパッタ法などにより基体上に形成でき、光触媒部３が厚膜の場合、光触媒の粉末のペーストを基体上に塗布し、乾燥後焼成することにより光触媒部３を形成することができる。また、光触媒が担持された多孔質体や繊維材料は、多孔質体や繊維材料の表面にチタンなどの金属元素を含む物質を担持し、熱処理を施すことにより形成することができる。
【００３３】
光触媒部３に含まれる光触媒は、例えば、酸化チタン（ＴｉＯ2）、ＳｎＯ2、ＷＯ3、Ｆｅ2Ｏ3、ＺｎＯ、Ｎｂ2Ｏ5、ＳｒＴｉＯ3、ＫＴａＯ3、ＺｒＯ2、ＧａＰ、ＢｉＶＯ4、Ｂｉ2ＭｏＯ6、Ａｇ3ＰＯ4である。光触媒部３に含まれる光触媒は、特にＴｉＯ2が好ましい。酸化チタンは一般に入手容易であるとともに、388nmより短波長の励起光を照射することにより光触媒活性を有するからである。
【００３４】
例えば、光触媒部３に含まれる光触媒が酸化チタンである場合、酸化チタンにバンドギャップ以上のエネルギーを有する光が照射されると、価電子帯の電子が伝導帯へ励起され、伝導帯に電子が価電子帯に正孔が生じる。また、酸化チタンは、バンドギャップが3.2eV であり、光励起により生じた電子と正孔の再結合が起こりにくいため、この再結合による失活率が小さいという特性を有する。酸化チタンはルチル型よりアナターゼ型であることが好ましい。これは、アナターゼ型の酸化チタンは、バンドギャップは3.23eVであり、ルチル型の酸化チタンのバンドギャップ3.02 eVよりバンドギャップが大きいため、光励起により生じた電子と正孔のエネルギーが大きく、光触媒活性が高いためである。
【００３５】
光触媒部３に含まれる光触媒は、白金（Ｐｔ）、パラジウム（Ｐｄ）、ルテニウム（Ｒｕ）、ロジウム（Ｒｈ）、金（Ａｕ）、銀（Ａｇ）、銅（Ｃｕ）、鉄（Ｆｅ）、ニッケル（Ｎｉ）、亜鉛（Ｚｎ）、ガリウム（Ｇａ）、ゲルマニウム（Ｇｅ）、インジウム（Ｉｎ）およびスズ（Ｓｎ）のうち少なくとも１つの金属が担持された光触媒であってもよい。このことにより、光触媒の酸化活性を高くすることができる。また、上記の金属を少量含有することによって、励起波長帯が拡大したり、電子と正孔の発生効率、または、有機物の酸化分解効率が向上するという効果が期待できる。
【００３６】
光触媒部３は、受光可能に設けられる。光触媒部３が受光する光は、光源部９から照射される光であってもよく、太陽光であってもよい。光触媒部３が光源部９から照射される光を受光できるように設けられている場合、図１、図５のように、光源部９と浄化槽１の内部とを仕切る透光性部材１０の浄化槽１側の表面に光触媒部３を設けることができる。また、この光触媒部３は、光源部９を囲むように設けることもできる。このことにより、透光性部材１０の浄化槽１側に設けられた光触媒部３が光源部９が発する光を受光することができ、また、光触媒部３は、浄化槽１で浄化する処理水と接触することができる。このことにより光触媒部３で活性種を発生させることができ、処理水を浄化することができる。また、例えば、図１、図４、図５のように、光源部９が発した光のうち浄化槽１内の処理水を透過した光が照射されるように光触媒部３を設けることもできる。また、光触媒部３は、図１、図４、図５のように、浄化槽１で浄化する処理水を挟むように対向して設けることができる。このことにより、光触媒部３に処理水が接触又は近接しやすくなり処理水を効率的に浄化できる。
【００３７】
また、光触媒部３が太陽光を受光可能に設けられている場合、例えば、図３のように浄化槽１の採光窓である透光性部材１０の内側に光触媒部３を設けることができる。この場合、光触媒部３は光触媒が担持された多孔質体であることが好ましい。この場合、多孔質体中を処理水が通過できるため、光触媒部３により処理水を効率的に浄化することができる。また、光触媒部３が光触媒が担持された多孔質体である場合、多孔質体は透光性を有することが好ましい。この場合、より広い範囲の光触媒が受光可能となるからである。
太陽光を受光できるように光触媒部３を設けることにより、光源部９を省略することができ、水浄化装置２５を小型化することができ、また、消費電力を小さくすることができる。
【００３８】
光触媒部３は、例えば図４、図５のように隔壁を構成し浄化槽１で浄化する処理水の流路を形成してもよい。この場合、処理水の流路の内壁が光触媒部３により形成されるため、処理水と光触媒部３とを接触しやすくすることができる。このことにより、処理水を効率的に浄化することができる。このように浄化槽１内に処理水の流路を形成する場合、隔壁は、光触媒部３のみでなってもよく、隔壁部材の表面に光触媒部３を設けてもよい。
また、浄化槽１内の処理水の流路は、例えば、図４のように蛇行流路となるように設けることができる。このことにより、処理水の流入口１４から排出口１５までの距離を長くすることができ、処理水と隔壁の内壁を構成する光触媒部３とを接触しやすくすることができる。
【００３９】
また、光触媒部３は、電解用陽極６と電解用陰極７との間に設けられてもよい。例えば、図６のように櫛状の電解用陽極６とそれに対向する櫛状の電解用陰極７との間に光触媒部３を設けることができる。このような構成の場合、電解用陽極６の表面において酸素を発生させると、すぐに光触媒部３の近傍の処理水の溶存酸素量を多くすることができる。このことにより、光触媒部３に含まれる光触媒が受光することにより、スーパーオキサイドアニオンラジカルとヒドロキシラジカルとが発生しやすくなり、光触媒部３による処理水の浄化能力を向上させることができる。また、このことにより、電解用電極５で消費する電力消費量を小さくすることができる。また、電解用電極５と光触媒部３とを近接して設けることができるため、水浄化装置２５を小型化することができる。図６のような電解用電極５は、例えば、図１の光触媒部３の位置に設けることができる。
【００４０】
水浄化装置２５は、光触媒部３に光を照射できるように設けられた光源部９を備えることができる。光源部９を発光させることにより光触媒部３が受光することができ、浄化槽１内の処理水を浄化することができる。
光源部９は、図１、図４、図５のように浄化槽１の採光窓である透光性部材１０の内部に設けられてもよく、浄化槽１内の処理水に直接浸るように設けられてもよい。
【００４１】
光源部９が発する光は、光触媒部３に照射され光触媒の酸化活性を高くするために用いられるが、処理水を殺菌するためにも用いることができる。例えば、光源部９が紫外線を発することにより処理水を殺菌することができる。
光源部９が発する光の波長は、光触媒部３に含まれる光触媒の酸化活性を高くすることができる波長であれば特に限定されないが、例えば、波長のピークが３４０〜４４０ｎｍ（より厳密には、３５０〜４３０ｎｍ，３６０〜４２０ｎｍ，３７０〜４１０ｎｍ，３８０〜４００ｎｍ又は３８５〜３９５ｎｍ）の範囲内である。
光源部９として、例えば、高圧水銀ランプ（輝線を４０５ｎｍ、４３６ｎｍに持つ）やＬＥＤを用いることができる。
【００４２】
３．電解用陽極、電解用陰極、電圧発生装置、電流値検出装置、溶存酸素計、制御装置
電解用陽極６および電解用陰極７は、浄化槽１内に設けられる。このことにより、電解用陽極６および電解用陰極７が浄化槽１で浄化する処理水と接触することができる。
電解用陽極６または電解用陰極７は、例えば、白金、金、ステンレス、チタン、銅、炭素、導電性ダイヤモンド、ニッケル、コバルトのうちいずれか１つを含むことができる。
水浄化装置２５は、電解用陽極６と電解用陰極７との間に印加する電圧を発生させる電圧発生装置１９を備えることができる。この電圧発生装置１９と電解用陽極６および電解用陰極７とを電気的に接続することにより電解用陽極６と電解用陰極７との間に電圧を印加することができる。
また、電圧発生装置１９は、電流値検出装置２０が測定した電流値を入力した制御装置２１からの信号により、電源電圧を昇降圧して所定の電圧を電解用陽極６と電解用陰極７との間に印加することができる。
【００４３】
電解用陽極６および電解用陰極７は、浄化槽１で浄化する処理水を挟むように対向して設けることができる。このことにより、電解用陽極６と電解用陰極７との間の処理水中をイオンが移動しやすくなり、電解用陽極６の表面における酸化反応および電解用陰極７の表面における還元反応の反応速度を速くすることができる。
また、電解用陽極６と電解用陰極７との間隔を狭くすることにより、さらに処理水中のイオンの移動を起こりやすくすることができる。例えば、電解用陽極６と電解用陰極７との間隔を１ｍｍ以上１０ｍｍ以下とすることができる。
【００４４】
電解用陽極６および電解用陰極７は、例えば、図２のように櫛状の電解用陽極６と、櫛状の電解用陰極７が対向するように設けることができる。図２は上面図であり、例えば、金属板を組み合わせ櫛状にすることにより、電解用陽極６または電解用陰極７を形成することができる。図６に示した電解用陽極６、電解用陰極７も同様である。
このことにより、電解用陽極６と電解用陰極７との間隔を狭くすることができ、電解用陽極６と電解用陰極７との間に印加する電圧を小さくすることができる。また、酸化還元反応が生じる電極表面積を広くすることができる。
【００４５】
浄化槽１に流入させる処理水（電解用陽極６と電解用陰極７との間の処理水）の電気伝導率は、３０μS/cm以上であることが望ましい。このことにより、処理水中をイオンが移動することができ、電解用陽極６の表面で酸化反応を生じさせることができ、電解用陰極７の表面で還元反応を生じさせることができる。
一般に、水道水の電気伝導率は１００〜２００μS/cm程度であり、河川上流の水の電気伝導率は、５０〜１００μS/cm程度であり、河川下流の水の電気伝導率は、２００〜４００μS/cm程度である。
１０ｃｍ四方の電解用陽極６と電解用陰極７を１ｃｍの間隔を空けて対面させたときの、水道水、河川上流の水、河川下流の水の抵抗は、それぞれ、５０〜１００Ω、１００〜２００Ω、２５〜５０Ωとなる。
従って、例えば、水道水、河川上流の水、河川下流の水に１ｍＡ／ｃｍ2の電流を流して、水を電気分解すると仮定すると、２．５Ｖ〜２０Ｖ程度が必要となる。
また、このように電解用陽極６または電解用陰極７の対向する側の総電極面積が１００ｃｍ2程度あると仮定すると、電解用陽極６と電解用陰極７との間隔は短いことが好ましく、１０ｍｍ以下であることが望ましい。
【００４６】
また、水浄化装置２５は、電解用陽極６と電解用陰極７との間に流れた電流を検出する電流値検出装置２０を備えることができる。例えば、電流値検出装置２０を、電圧発生装置１９と電解用陽極６または電解用陰極７とに電気的に接続することにより電解用陽極６と電解用陰極７との間に流れた電流を検出することができる。電解用陽極６の表面では、電解用陽極６と電解用陰極７との間に流れた電流に応じて、酸素またはＯＨラジカルが発生するため、酸素発生量またはＯＨラジカル発生量を制御するためには、電解用陽極６と電解用陰極７との間に流れた電流を制御する必要がある。しかし、処理水の電気伝導率は、処理水を構成するイオン数やｐＨによって異なる。このため、電流値検出装置２０が読み取った電流値を電圧発生装置１９にフィードバックすることにより、電解用陽極６と電解用陰極７との間に流れる電流に応じた電圧を電解用陽極６と電解用陰極７とに印加することができる。このことにより、電解用陽極６と電解用陰極７との間に流れる電流を制御することができる。
【００４７】
水浄化装置２５は、浄化装置１内に溶存酸素計１２、導電率計、ｐＨ計またはＯＲＰ計を備えることができる。これらのセンサにより浄化装置１で浄化する処理水の状態をモニタリングすることができる。
また、水浄化装置２５は、電流値検出装置２０、溶存酸素計１２、導電率計、ｐＨ計またはＯＲＰ計の値を読み取り、電解用陽極６と電解用陰極７との間に印加する電圧を制御する制御装置２１を備えることができる。このことにより、電解用陽極６と電解用陰極７との間に流れる電流や浄化槽１で浄化する処理水の状態に応じて電解用陽極６と電解用陰極７との間に印加する電圧を変化させることができる。
【００４８】
４．電解用電極における酸化還元反応
例えば、電圧発生装置１９により電解用陽極６と電解用陰極７との間に電圧を印加することにより、電解用陰極７の表面で水素を発生させることができ、電解用陽極６の表面で酸素またはＯＨラジカルを発生させることができる。
【００４９】
なお、水の飽和溶存酸素量は、１気圧、２５℃の条件下において８．１１ｍｇ／Ｌであり、酸素は多く水中に溶け込む性質を有するのに対し、水素は、ほとんど水中に溶け込まない性質を有する。このため、例えば、電流値検出装置２０、溶存酸素計１２の測定値から電解用陽極６の表面で酸素が発生しているか、ＯＨラジカルが発生しているかを検出することができる。例えば、電解用陽極６と電解用陰極７との間の電流の大きさに伴い処理水中の溶存酸素量が大きくなるとき、電解用陽極６の表面では酸素が発生していると考えられる。また、電解用陽極６と電解用陰極７との間に電流が流れているにもかかわらず、処理水中の溶存酸素量が変化していないとき、電解用陽極６の表面ではＯＨラジカルが発生していると考えられる。なお、電解用陽極６の表面でＯＨラジカルを発生させるときに電解用陽極６と電解用陰極７との間に印加する電圧は、電解用陽極６の表面で酸素を発生させるときの電圧よりも小さいと考えられるが、これらの電圧は、明確に区分されるものではない。しかし、電解用陽極６と電解用陰極７との間に印加する電圧を制御することにより酸素発生量とＯＨラジカル発生量は制御することができると考えられる。また、電解用陽極６と電解用陰極７との間に印加する電圧によっては電解用陽極６の表面において、酸素とＯＨラジカルの両方が発生すると考えられる。
【００５０】
これらのことから、制御装置２１が、電流検出装置２０と溶存酸素計１２の測定値を入力し、これに基づき電解用陽極６と電解用陰極７とに印加する電圧を決定し、この結果を電圧発生装置１９に出力することにより、電解用陽極６と電解用陰極７とに印加する電圧を制御装置２１により制御することができる。このことにより、電解用陽極６の表面における酸素発生量およびＯＨラジカル発生量を制御することができる。
溶存酸素計１２は、水中に溶けた酸素量を計測するものであり、一例として、ガルバニ電池式のものが挙げられる。ガルバニ電池式溶存酸素計は、電解質溶液（例えば、KOH）中に２種類の金属（例えば、作用電極としてAg、対極としてPbが用いられる）を浸せきした構造となっており、ガス透過性膜を通過した酸素濃度に応じた電流が流れる機構となっている。溶存酸素電極は膜を通過する酸素量を測定し、この透過量は水中の酸素の分圧に比例する。この分圧を測定することによって、濃度に換算するということが行われている。
また、溶存酸素計１２と同様に、制御装置２１が、導電率計、ｐＨ計またはＯＲＰ計の測定値を入力し、これに基づき電解用陽極６と電解用陰極７とに印加する電圧を決定し、この結果を信号として電圧発生装置１９に出力することもできる。
例えば、これらのセンサの測定値に基づき、処理水中の有機不純物濃度が高いと判断される場合は、光触媒部３と電解用電極５の両方で処理水の浄化を行い、処理水中の有機不純物濃度が低いと判断される場合には光触媒部３のみで処理水の浄化を行うことができる。このことにより、水浄化装置２５の消費電力量を抑えて処理水の浄化を行うことができる。
【００５１】
電解用陽極６の表面において酸素を発生させた場合、処理水中の溶存酸素量を多くすることができる。このことにより、光触媒部３に含まれる光触媒に吸着する酸素量も多くすることができ、光触媒部３に含まれる光触媒が受光することにより光触媒の伝導帯に発生する電子が光触媒の表面に吸着する酸素と反応しＯ2-・（スーパーオキサイドアニオンラジカル）を生成することができる。このことにより、光触媒部３に含まれる光触媒が受光することにより、ＯＨラジカルとＯ2-・とを効率よく発生させることができ、処理水を効率よく浄化することができる。このことにより、処理水の溶存酸素量を上昇させるための曝気装置などを省略することができ、水浄化装置２５を小型化することができる。
【００５２】
なお、この場合、制御装置２１は、溶存酸素計１２の測定値と、光触媒部３が処理水を浄化するために必要な溶存酸素量とを比較して電解用陽極６と電解用陰極７とに印加する電圧を決定することができる。すなわち、処理水の溶存酸素量が少なければ、制御装置２１は、電圧発生装置１９に対して電解用陽極６および電解用陰極７に高電圧を印加する信号を出力することができ、また、処理水の溶存酸素量が多ければ、制御装置２１は、電圧発生装置１９に対して電解用陽極６および電解用陰極７に低電圧を印加する信号、または電圧の発生を停止する信号を出力することができる。このことにより、処理水の溶存酸素量を、光触媒部３が処理水を浄化するために必要な溶存酸素量に維持することができ、また、不要な電力消費を無くすことができる。
【００５３】
電解用陽極６の表面においてＯＨラジカルを発生させた場合、ＯＨラジカルは、処理水中の有機不純物を酸化分解することができ、処理水を浄化することができる。このことにより、浄化槽１で浄化する処理水に含まれる物質を電気化学的に酸化分解することができる。従って、浄化槽１内に設けられた光触媒部３と電解用陽極６の両方で処理水を浄化することが可能となり、水浄化装置２５の浄化能力を向上させることができる。
また、水浄化装置２５が図３のような断面を有し、光源が太陽光の場合、時間帯や季節、天気などにより光触媒部３が受光できる光量が変化する。従って、光触媒部３の浄化能力が時間帯などにより変化する。この光触媒部３の浄化能力を補うように電解用陽極６および電解用陰極７に電圧を印加することにより水浄化装置２５の浄化能力の変化を小さくすることができる。
【００５４】
また、電解用陽極６および電解用陰極７は、例えば、図５のように光源部９との間に光触媒部３を挟んで設けることができる。また、電解用陽極６および電解用陰極７は、例えば、図３のように太陽光の採光窓である透光性部材１０との間に光触媒部３を挟んで設けることができる。このことにより、光源部９の光または太陽光を受光できる範囲では、光触媒部３により処理水を浄化し、光源部９の光を受光できない範囲では電解用電極５により処理水を浄化することができる。このことにより、水浄化装置２５は、小型化することができ、かつ、高い浄化能力を有することができる。
【００５５】
浄化槽１は、例えば図５のように水素排出口１７を備えることができる。電解用電極５に電圧を印加すると、電解用陰極７の表面で水素が発生する。また、光触媒部３に含まれる光触媒が受光すると水素が発生する場合がある。この水素を浄化槽１の外に排出できるように水素排出口１７を設けることができる。この水素排出口１７から排出された水素は、燃料電池の燃料として利用することができる。
なお、電解用電極５に電圧を印加すると電解用陽極６の表面から酸素が発生する場合があるが、処理水中の溶存酸素量が多くなりすぎないように電解用電極５に電圧を印加することにより、水素排出口１７から排出する水素中に酸素が混入することを防止することができる。
【符号の説明】
【００５６】
１： 浄化槽    ３：光触媒部    ５：電解用電極    ６：電解用陽極    ７：電解用陰極    ９：光源部    １０：透光性部材    １２：溶存酸素計    １４：流入口    １５：排水口    １６：導水管    １７：水素排出口    １８：帰還水路    １９：電圧発生装置    ２０：電流検出装置    ２１：制御装置    ２２：フィルター    ２３：処理液流路    ２５：水浄化装置
【図１】
2012228659.tif 000003
【図２】
2012228659.tif 000004
【図３】
2012228659.tif 000005
【図４】
2012228659.tif 000006
【図５】
2012228659.tif 000007
【図６】
2012228659.tif 000008